(57)【特許請求の範囲】
【請求項１】
相対する側壁の上端隅部に対向して形成された垂直枠に取着された略円筒状の嵌合体を有する箱本体と、天板と該天板の周囲から略垂直に垂下された側壁とを有するとともに前記垂直枠が形成された箱本体の相対する側壁に対応する相対する側壁に、該側壁の長手方向に沿って摺動溝が形成されている蓋とを有し、前記蓋に形成された摺動溝に嵌合されている前記箱本体の嵌合体と前記蓋の側壁との間には、圧縮スプリングにより、前記蓋の側壁方向に付勢されているとともに半球状の先端部が前記蓋の側壁に圧接されている押圧部材が配設されており、前記嵌合体が、前記箱本体の垂直枠付近に位置する前記摺動溝の端部に位置した状態で、前記蓋が、前記嵌合体を軸中心として回動するように構成されており、且つ、前記蓋を、前記嵌合体に案内されながら、前記摺動溝に沿って下方に移動させることにより、前記蓋と、前記垂直枠が形成されていない箱本体の相対する側壁のうち、前記垂直枠付近に位置する側壁とが、略平行に配置されるように構成されていることを特徴とする集配箱。
【請求項２】
前記摺動溝の途中に、前記嵌合体が当接する停止リブを形成することにより、前記蓋と、前記箱本体の垂直枠が形成されていない箱本体の相対する側壁のうち、前記垂直枠付近に位置する側壁とが、略平行に配置された際に、前記蓋が、前記箱本体から上方に突出するように構成されていることを特徴とする請求項１に記載の集配箱。
【請求項３】
前記箱本体の下方に、引出し状の収納容器が配設されていることを特徴とする請求項１又は請求項２に記載の集配箱。
【発明の詳細な説明】
【０００１】
【発明の属する技術分野】
本発明は、二輪車等の荷台に搭載されて、集配される荷物や郵便物等（以下、単に、「集配物」という。）を収納することができる集配箱に関するものである。
【０００２】
【従来の技術】
従来、二輪車等の荷台に搭載された集配箱として、蓋を回動させ、次いで、蓋を、箱本体の一側壁に沿って下方に慴動させることにより、蓋を開けるとともに、逆に、蓋を、箱本体の一側壁に沿って上方に慴動させ、次いで、蓋を回動させることにより、蓋を閉めるようにした、箱本体と蓋とからなる集配箱が知られている（例えば、特開平７−２５１７７４号公報等）。
【０００３】
【発明が解決しようとする課題】
上述した従来の集配箱は、蓋の回動・慴動機構が複雑であるために、故障が多く、高価であるという問題がある。また、傘や合羽等の雨具を、集配物と一緒に集配箱に収納するために、集配物が濡れたり、損傷する等の問題がある。
【０００４】
本発明の目的は、上述した従来の集配箱が有する課題を解決するとともに、作業性の向上した集配箱を提供することにある。
【０００５】
【課題を解決するための手段】
本発明は、上述した目的を達成するために、集配箱において、第 1には、相対する側壁の上端隅部に対向して形成された垂直枠に取着された略円筒状の嵌合体を有する箱本体と、天板と該天板の周囲から略垂直に垂下された側壁とを有するとともに前記垂直枠が形成された箱本体の相対する側壁に対応する相対する側壁に、該側壁の長手方向に沿って摺動溝が形成されている蓋とを有し、前記蓋に形成された摺動溝に嵌合されている前記箱本体の嵌合体と前記蓋の側壁との間には、圧縮スプリングにより、前記蓋の側壁方向に付勢されているとともに半球状の先端部が前記蓋の側壁に圧接されている押圧部材が配設されており、前記嵌合体が、前記箱本体の垂直枠付近に位置する前記摺動溝の端部に位置した状態で、前記蓋が、前記嵌合体を軸中心として回動するように構成されており、且つ、前記蓋を、前記嵌合体に案内されながら、前記摺動溝に沿って下方に移動させることにより、前記蓋と、前記垂直枠が形成されていない箱本体の相対する側壁のうち、前記垂直枠付近に位置する側壁とが、略平行に配置されるように構成したものであり、第２には、前記摺動溝の途中に、前記嵌合体が当接する停止リブを形成することにより、前記蓋と、前記箱本体の垂直枠が形成されていない箱本体の相対する側壁のうち、前記垂直枠付近に位置する側壁とが、略平行に配置された際に、前記蓋が、前記箱本体から上方に突出するように構成したものであり、第３には、前記箱本体の下方に、引出し状の収納容器を配設したものである。
【０００６】
以下に、本発明の集配箱の全体斜視図である図１、同じく本発明の集配箱の全体斜視図である図２、本発明の集配箱の垂直側断面図である図３、本発明の集配箱の一部拡大分解斜視図である図４、図１のＩ−Ｉ線に沿った本発明の集配箱の一部垂直断面図である図５、図５と同様の本発明の集配箱の一部垂直断面図である図６及び図６と同様の本発明の集配箱の一部垂直断面図である図７を用いて、本発明の集配箱について説明するが、本発明の趣旨を越えない限り何ら、本実施例に限定されるものではない。
【０００７】
【実施例】
１は、上方に開口部を有する箱型の集配箱本体（以下、単に、「箱本体」という。）であり、箱本体１の下方には、図３に示されているように、中間水平仕切り１ａが設けられており、中間水平仕切り板１ａと箱本体１の下端部１ｂとの間には、引出し状の収納容器２が設けられている。中間水平仕切り板１ａは、箱本体１の側壁１ｃの外壁面から箱本体１を一周するように水平状に突出された下方フランジ１ｄと略同一平面を形成するように構成されている。なお、２ａは、必要に応じて配設された収納容器２の垂直仕切り板であり、収納容器２と一体に形成することも、収納容器２に対して着脱自在とすることもできる。
【０００８】
１ｅは、箱本体１の側壁１ｃのうち、一方の相対する側壁１ｃ’、１ｃ”の上端隅部から上方へ突出するように、且つ、互いに対向するように形成された垂直枠である。１ｆは、箱本体１の下端部１ｂから水平状に突出された下端フランジであり、１ｇは、箱本体１の開口部上端から水平状に突出された上端フランジであり、また、１ｈは、上部フランジ１ｇの下方に形成された、箱本体１の側壁１ｃから水平状に突出された上方フランジである。なお、１ｉは、箱本体１内に、必要に応じて、着脱自在に或いは固定的に配設される中仕切り板である。
【０００９】
３は、収納容器２側の下方フランジ１ｄに配設された収納容器２のロック部材であり、ロック部材３の垂直ピストン３ａを下方に押し出し、垂直ピストン３ａの先端部を、収納容器２の上端部の引き出される側に形成されたフランジ２ｂに設けられた孔２ｃに嵌入することにより、収納容器２を施錠することができるように構成されている。垂直ピストン３ａの上下動は、必要に応じて、適当な鍵により、ロックすることもできる。なお、ロック部材３は、上記のようなロック部材に限定されることなく。公知に種々のロック部材を使用することができる。
【００１０】
４は、箱本体１の開口部を覆う蓋である。蓋４は、一例として、蒲鉾状に膨出した天板４ａ及び天板４ａの周囲から略垂直に垂下された側壁４ｂとを有している。垂直枠１ｅが形成されている箱本体１の相対する側壁１ｃ’、１ｃ”に対応する蓋４の相対する側壁４ｂ’、４ｂ”には、それぞれ、その長手方向に沿って慴動溝４ｃが形成されている。４ｄは、慴動溝４ｃの途中に形成されたストッパーとして機能する停止リブである。
【００１１】
箱本体１の相対する側壁１ｃ’、１ｃ”の上端隅部に対向して形成された垂直枠１ｅには、透孔１ｅ’が穿設されている。５は、略円筒状の嵌合体であり、嵌合体５の外径は、上述した蓋４の相対する側壁４ｂ’、４ｂ”に形成された慴動溝４ｃに嵌合可能な大きさに形成されている。６は、一方に頭部６ａを有するリベットであり、リベット６の軸部６ｂを、図４に示されているように、外側から、垂直枠１ｅに穿設された透孔１ｅ’及び蓋４の側壁４ｂ’、４ｂ”に形成された慴動溝４ｃに嵌合される略円筒状の嵌合体５に挿通した後、図５に示されているように、リベット６の軸部６ｂの先端を略半球状に潰すことにより、嵌合体５を垂直枠１ｅに取着する。このように、箱本体１の相対する側壁１ｃ’、１ｃ”の上端隅部に対向して形成された垂直枠１ｅに、それぞれ、リベット６により、蓋４の側壁４ｂ’、４ｂ”に形成された慴動溝４ｃに嵌合される嵌合体５を取着することにより、蓋４を、箱本体１に取り付ける。なお、リベット６の軸部６ｂが挿通される側の嵌合体５の端部内壁には、リベット６の軸部６ｂが潰されて形成されたもう一方の頭部６ｃが引っ掛かるようにフランジ部５ａが形成されている。
【００１２】
棒状のリベット６を熱可塑性の合成樹脂で成形し、リベット６の一端を加熱成形して、一方の頭部６ａを形成し、次いで、上述したように、垂直枠１ｅに穿設された透孔１ｅ’及び蓋４の側壁４ｂ’、４ｂ”に形成された慴動溝４ｃに嵌合される嵌合体５に挿通した後、リベット６のもう一方の端部を加熱成形して、もう一方の頭部６ｃを形成することにより、上述した嵌合体５を垂直枠１ｅに取り付けることが好ましい。勿論、垂直枠１ｅに穿設された透孔１ｅ’及び蓋４の側壁４ｂ’、４ｂ”に形成された慴動溝４ｃに嵌合される嵌合体５にボルトを挿通した後、ボルトにナットを螺合させることにより、嵌合体５を垂直枠１ｅに取り付けることもできる。また、垂直枠１ｅに透孔１ｅ’を穿設することなく、嵌合体５を垂直枠１ｅに接着或いは溶着することもできる。
【００１３】
７ａは、開く側の蓋４の側壁４ｂの略中央部に配設されたロック部材の雄部であり、７ｂは、箱本体１の対応する側壁１ｃの上部に配設されたロック部材の雌部であり、また、７ｃは、図示されていない鍵が挿入される鍵孔である。ロック部材は、上述した雄部７ａと雌部７ｂとからなるものに限定されることなく、公知の種々のロック部材を使用することができる。
【００１４】
次に、主として、図１、図２及び図３を用いて、蓋４の開閉手段について説明する。
【００１５】
蓋４の側壁４ｂ’、４ｂ”に形成された慴動溝４ｃに嵌合された、箱本体１の垂直枠１ｅに取着された嵌合体５が、慴動溝４ｃの端部に位置した状態で、図１に示されているように、嵌合体５を軸中心として、蓋４を回動させることにより、箱本体１に対して、蓋４の開閉を行う。
【００１６】
また、蓋４を、図２の二点鎖線で示されているように、嵌合体５を中心に、略垂直に回動させた後、蓋４を、嵌合体５に案内されながら、蓋４の側壁４ｂ’、４ｂ”に形成された慴動溝４ｃに沿って下方に移動させることにより、図２の実線に示されているように、蓋４を、箱本体１の側壁１ｃと略平行に配置することができるので、従って、箱本体１の開口部が完全に解放され、箱本体１への集配物の収納作業及び箱本体１からの集配物の取り出し作業を、円滑に、しかも、迅速に行うことができる。
【００１７】
図２に実線で示されている垂直状態の蓋４の高さが、箱本体１の側壁１ｃの高さと同じか或いは箱本体１の側壁１ｃの高さより低いと、図２に実線で示されているように、蓋４の側壁４ｂと箱本体１の側壁１ｃとが略平行に重合された場合に、蓋４の上方の側壁４ｂと箱本体１の上方の側壁１ｃとが同じ高さになってしまい、蓋４を、上方に持ち上げる際に、蓋４が掴み難いという問題がある。このような問題を解決するために、上述したように、慴動溝４ｃの途中には、停止リブ４ｄが形成されている。このような停止リブ４ｄを形成したことにより、蓋４を、嵌合体５に案内されながら、蓋４の側壁４ｂ’、４ｂ”に形成された慴動溝４ｃに沿って下方に移動させた際に、嵌合体５が、停止リブ４ｄに当接し、それ以上の蓋４の下方への移動が阻止され、適当な長さだけ、蓋４の上方の側壁４ｂが、箱本体１の上方の側壁１ｃから突出するので、蓋４を、上方に持ち上げる際に、蓋４の上記の箱本体１の上方の側壁１ｃから突出した部分を把持することにより、蓋４を、容易に、上方に持ち上げることができる。
【００１８】
次に、図６を用いて、蓋４の箱本体１への取付機構の別の実施例について説明する。
【００１９】
８は、蓋４の側壁４ｂとリベット６の頭部６ｃとの間に配置された押圧部材であり、押圧部材８は、一例として、慴動溝４ｃ側に位置する蓋４の側壁４ｂ面に当接する先端部８ａが半球状の茸形状に形成されている。押圧部材８は、押圧部材８とリベット６の頭部６ｃとの間に配置された圧縮スプリング９により、蓋４の側壁４ｂ方向に付勢され、その先端部８ａが、慴動溝４ｃ側に位置する蓋４の側壁４ｂ面に圧接している。
【００２０】
押圧部材８の先端部８ａを、圧縮スプリング９により、蓋４の側壁４ｂ面に圧接させて、押圧部材８の先端部８ａと蓋４の側壁４ｂ面との間に摩擦力を生じるように構成したので、蓋４を、図２の二点鎖線で示されているように、蓋４の側壁４ｂ’、４ｂ”に形成された慴動溝４ｃに沿って下方に移動させる際に、蓋４が急激に下降することなく、ゆっくりと、或いは、手で蓋４を軽く押し下げることにより下降する。従って、蓋４が急激な下降により損傷を受けるようなことが防止できるとともに、蓋４の箱本体１への取付機構が損傷するようなことも防止できる。
【００２１】
次に、図６と同様の本発明の集配箱の一部垂直断面図である図７を用いて、上述した押圧部材８が配設された集配箱の別の実施例について説明する。
【００２２】
この実施例においては、停止リブ４ｄが形成された側と反対側の慴動溝４ｃ内に位置する蓋４の側壁４ｂ’、４ｂ”の端部付近に、上述した圧縮スプリング９により蓋４の側壁４ｂ’、４ｂ”面に圧接された押圧部材８の先端部８ａが、嵌入可能な凹部４ｅが形成されている。
【００２３】
蓋４が箱本体１に被蓋された状態で、上記の凹部４ｅに、圧縮スプリング９により付勢された押圧部材８の先端部８ａが嵌入されるように構成されているので、蓋４を、蓋４が閉まった水平状態から、図２の二点鎖線或いは図３に示されているように、垂直状態に回動させる際に、蓋４が、凹部４ｅに嵌入された押圧部材８の先端部８ａを中心に回動するので、蓋４の回動支点が安定し、従って、円滑な、蓋４の開閉を行うことができる。また、押圧部材８の先端部８ａが、圧縮スプリング９により凹部４ｅに圧接されているので、押圧部材８の先端部８ａと凹部４ｅとの間に、適当な摩擦力が発生して、蓋４を、垂直状態のままに維持することができる。その後、手で、蓋４の上部側壁４ｂを押すことにより、図２の実線で示されているように、蓋４を下方に移動させることができる。
【００２４】
上述したように、一時的に、蓋４を、垂直状態に維持するように構成することにより、迅速な、蓋４の開閉作業を行うことができるので、集配物の取り出し、収納作業性を向上することができる。
【００２５】
上述したような構成を有する集配箱の箱本体１内には、集配物が収納され、また、引出し状の収納容器２には、傘や合羽等の雨具や筆記具等を収納することができるので、従来のように、集配物が濡れたり、損傷するようなことが防止できるとともに、筆記具等の小物を整理して収納することができる。
【００２６】
上述した集配箱を構成する箱本体１、収納容器２、蓋４等は、それぞれ、合成樹脂で一体に成形し、その後、組み立てることが好ましい。また、箱本体１の側壁１ｃの外壁面には、必要に応じて、縦横に、補強リブ１ｊを形成する。同様に、慴動溝４ｃが形成されていない蓋４の側壁４ｂにも、必要に応じて、補強リブ４ｅを形成する。なお、１ｋは、ロック部材３の両側に形成された三角形状の補強リブである。
【００２７】
【発明の効果】
本発明は、以上説明したように構成されているので、以下に記載する効果を奏することができる。
【００２８】
簡単な構造により、蓋を、箱本体に対して、回動及び摺動可能に取り付けることができるので、故障の少ない、しかも、安価で修理の容易な集配箱を提供することができる。
【００２９】
摺動溝に停止リブを形成したことにより、蓋の側壁と箱本体の側壁とが略平行に重合された場合に、適当な長さだけ、蓋の上方の側壁が、箱本体の上方の側壁から突出するので、蓋を、容易に上方に持ち上げることができる。
【００３０】
摺動溝内に、蓋の側壁面を押圧する押圧部材を配設したので、蓋が急激な下降により損傷を受けるようなことが防止できるとともに、蓋の箱本体への取付機構が損傷するようなことも防止できる。
【００３１】
収納容器を設けたことにより、傘や合羽等の雨具や筆記具等を収納することができるので、集配物が濡れたり、損傷するようなことが防止できるとともに、筆記具等の小物を整理して収納することができる。
【図面の簡単な説明】
【図１】図１は本発明の集配箱の全体斜視図である。
【図２】図２は同じく本発明の集配箱の全体斜視図である。
【図３】図３は本発明の集配箱の垂直側断面図である。
【図４】図４は本発明の集配箱の一部拡大分解斜視図である。
【図５】図５は図１のＩ−Ｉ線に沿った本発明の集配箱の一部垂直断面図である。
【図６】図６は図５と同様の本発明の集配箱の一部垂直断面図である。
【図７】図７は図６と同様の本発明の集配箱の一部垂直断面図である。
【符号の説明】
１・・・・・・・・・箱本体
１ｅ・・・・・・・・垂直枠
２・・・・・・・・・収納容器
４・・・・・・・・・蓋
４ｃ・・・・・・・・摺動溝
５・・・・・・・・・嵌合体
８・・・・・・・・・押圧部材
【図１】
0003822931.tif 000002
【図２】
0003822931.tif 000003
【図３】
0003822931.tif 000004
【図４】
0003822931.tif 000005
【図５】
0003822931.tif 000006
【図６】
0003822931.tif 000007
【図７】
0003822931.tif 000008